(57)【要約】【課題】螺旋状に巻付けられた上巻きテープの重なり部分の下に、粗巻き紐が位置しないように巻付けられている光ケーブルを提供する。【解決手段】複数の光ファイバ心線１４が収容されたスロットロッド１２の外周に、粗巻き紐１５が螺旋状に巻付けられ、次いで上巻きテープ１６が螺旋状に重ね巻きで巻付けられ、その外側が押出成形によるシース１７で被覆され、粗巻き紐１５が上巻きテープ１６の内面に接着されている光ケーブルであって、粗巻き紐１５と上巻きテープ１６は同じピッチで同方向に巻付けられ、粗巻き紐１５は上巻きテープの重なり部１６ａの下に存在しないようにする。なお、複数本の粗巻き紐を用いる場合も、粗巻き紐は全て、上巻きテープと同じピッチで複数本が平行に巻付けられる。【選択図】図１
2013182094.tif 000002
【特許請求の範囲】
【請求項１】
複数の光ファイバ心線が収容されたスロットロッドの外周に、粗巻き紐が螺旋状に巻付けられ、次いで上巻きテープが螺旋状に重ね巻きで巻付けられ、その外側が押出成形によるシースで被覆され、前記粗巻き紐が前記上巻きテープの内面に接着されている光ケーブルであって、
前記粗巻き紐と前記上巻きテープとは同じピッチで同方向に巻付けられ、前記粗巻き紐は前記上巻きテープの重なり部の下に位置しないことを特徴とする光ケーブル。
【請求項２】
前記粗巻き紐は、複数本が平行に巻付けられていることを特徴とする請求項１に記載の光ケーブル。
【発明の詳細な説明】
【技術分野】
【０００１】
本発明は、複数本の光ファイバ心線が収容されたスロットロッドの外周に、粗巻き紐、上巻テープ、シースが順に施されたスロット型の光ケーブルに関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増え、そのための工事が増加している。このＦＴＴＨでは、幹線光ケーブルからドロップ光ケーブルを用いて加入者宅等に引き落とされている。加入者宅への光ファイバの引き落しは、例えば、市街の電柱等に布設されている幹線光ケーブルから、通常、クロージャと称されている接続函で光ファイバ心線を分岐し、分岐された光ファイバ心線にドロップ光ケーブルを融着接続又は光コネクタを用いて接続している。
【０００３】
上記の幹線光ケーブルの途中部分から、光ファイバを加入者宅等に引き落とすには、ケーブル内に収納されている複数本の光ファイバ心線のうちから、１本〜数本の光ファイバ心線を引き出す分岐作業が行われる。この分岐作業において、光ケーブル内から光ファイバ心線を取り出す際に、ポリエチレン等で形成されたシース（外被ともいう）を剥ぎ、次いで、上巻きテープ、粗巻き紐を除去する。
【０００４】
上巻きテープ（押え巻きテープともいう）は、ケーブル内への止水又はシース成形時の熱絶縁のためのもので、通常、螺旋状に重ね巻きで施される。また、粗巻き紐は、ケーブルの製造段階でスロットロッドの溝内に収容した光ファイバ心線が、上巻きテープを巻付ける前にスロットロッドから脱落するのを防止するためのもので、スロットロッドの外周に螺旋状に巻付けられる。
【０００５】
しかし、上記の粗巻き紐が巻付けられた光ケーブルは、上述した光ファイバ心線の分岐作業やケーブルのリサイクル解体作業で、粗巻き紐の除去が容易でないという問題があった。この問題を解決するために、例えば、特許文献１には、巻付け後の粗巻き紐を上巻きテープ内面に接着させ、上巻きテープを剥ぎ取るときに、粗巻き紐も同時に除去されるようにする方法が開示されている。なお、粗巻き紐と上巻きテープとの接着は、シースの押出成形時の熱で行い、このため粗巻き紐は、上記の熱で溶融する接着層を有しているものが用いられている。
【先行技術文献】
【特許文献】
【０００６】
【特許文献１】特許４５７７３０２号公報
【発明の概要】
【発明が解決しようとする課題】
【０００７】
粗巻き紐は、光ファイバ心線がスロットロッドから脱落しない程度のピッチで螺旋状に巻付けられる。一方、上巻きテープは、スロットロッド内の光ファイバ心線が露出しないように、重ね巻きで螺旋状に巻付けられる。したがって、通常、粗巻き紐と上巻きテープの巻付けピッチは、それぞれ個別に設定されて異なっており、また、巻付け方向が互いに逆方向とされる場合もある。この場合、上巻きテープの重なり部分で、粗巻き紐が必ず交差する箇所が生じることとなる。
【０００８】
上巻きテープの重なり部分は、テープ厚さが２倍となって熱抵抗が大きくなることから、このテープ重なり部分のテープ下に位置する粗巻き紐は、シースの熱で接着されない虞があり、粗巻き紐の除去性が損なわれるという問題がある。
また、上巻きテープの重なり部分のテープ下に位置する粗巻き紐が、シースの熱で接着された場合は、テープ重なり部分で熱溶融された粗巻き紐によりテープ同士が互いに接着される虞があり、上巻きテープが巻き解しにくくなるという問題がある。
【０００９】
本発明は、上述した実状に鑑みてなされたもので、螺旋状に巻付けられた上巻きテープの重なり部分の下に、粗巻き紐が位置しないように巻付けられている光ケーブルの提供を目的とする。
【課題を解決するための手段】
【００１０】
本発明による光ケーブルは、複数の光ファイバ心線が収容されたスロットロッドの外周に、粗巻き紐が螺旋状に巻付けられ、次いで上巻きテープが螺旋状に重ね巻きで巻付けられ、その外側が押出成形によるシースで被覆され、粗巻き紐が上巻きテープの内面に接着されている光ケーブルであって、粗巻き紐と上巻きテープは同じピッチで同方向に巻付けられ、粗巻き紐は上巻きテープの重なり部の下に存在しないことを特徴とする。
なお、複数本の粗巻き紐を用いる場合も、粗巻き紐は全て、上巻きテープと同じピッチで複数本が平行に巻付けられる。
【発明の効果】
【００１１】
本発明によれば、上巻きテープの重なり部分の下に、粗巻き紐が位置していないので、上巻きテープの重なり部分でテープ同士が接着されることなく、また、粗巻き紐に上巻きテープと接着されない部分が生じることもなく、光ケーブルの分岐作業性やリサイクル解体作業性を高めることができる。
【図面の簡単な説明】
【００１２】
【図１】本発明による光ケーブルの実施形態を説明する図である。
【図２】本発明による光ケーブルの他の実施形態を説明する図である。
【発明を実施するための形態】
【００１３】
図により本発明の実施の形態を説明する。図において、１１は光ケーブル、１２はスロットロッド、１２ａは溝、１３はテンションメンバ、１４は光ファイバ心線、１５は粗巻き紐、１６は上巻きテープ、１６ａは重なり部、１７はシースを示す。
【００１４】
光ケーブル１１は、図１に示すように、中心にテンションメンバ（抗張力体ともいう）１３を埋設一体化し、複数の溝１２ａを設けたポリエチレン等のプラスチック材からなるスロットロッド（スペーサともいう）１２により構成される。スロットロッド１２の溝１２ａは螺旋状またはＳＺ状に形成され、この溝１２ａ内には複数本の光ファイバ心線またはテープ状の光ファイバ心線１４が収納される。光ケーブルの製造過程で、光ファイバ心線１４が溝１２ａ内に収納された後、溝１２ａから脱落する（特に、ＳＺ溝の場合）のを防止するために、粗巻き紐１５が直ちにスロットロッド１２の外周に螺旋状に巻付けられる。さらに、その上に上巻きテープ（押え巻きテープともいう）１６が螺旋状に巻付けられ、次いで、押出成形によりシース１７が施される。
【００１５】
粗巻き紐１５は、上巻きテープ１６に接着可能な熱可塑性の材料で形成されていて、シース１７の押出成形時の熱で上巻きテープ１６の内面に接着され一体化されている。そして、光ファイバ心線の分岐作業やリサイクルのための解体作業やの際に、上巻きテープ１６の剥ぎ取りと同時に、粗巻き紐１５がスロットロッド１２上から除去されるように構成されている。
なお、一般に使用されるポリエチレン等の樹脂を用いたシースの押出成形での樹脂温度は、１８０〜２２０℃であるので、粗巻き紐１５は、１８０℃以下の融点を持つ接着性の樹脂で形成されているか、若しくは接着性の樹脂層を有している。
【００１６】
粗巻き紐１５は、例えば、細幅のテープ形状のものや繊維を束ねた繊維束状のものを用いることができる。テープ形状の粗巻き紐としては、例えば、融点温度が高く引張強度の大きい樹脂基材の外側に低融点の樹脂接着層を被せた２層構造のものを用いることができる。また、繊維束状の粗巻き紐としては、例えば、融点温度が高く引張強度の大きい樹脂繊維の外側を低融点の樹脂接着層で被った繊維糸を複数本撚り合わせたものを用いることができる。なお、この他、低融点の樹脂接着層の材料単体で、テープ形状または繊維束状とした紐であってもよい。
【００１７】
上巻きテープ１６は、粗巻き紐１５が接着されやすい材料（粗巻き紐と同種の材料）で、シース１７の成形温度では溶融しない材料で形成される。例えば、上記の粗巻き紐１５の樹脂基材とした融点温度が高く引張強度の大きい樹脂材料で形成することができる。
この上巻きテープ１６は、テープ幅が（Ｗ）で、その重なり部１６ａの重なり幅を（Ｌ）で螺旋状に巻付けると、その巻付けピッチは（Ｗ−Ｌ）となる。
【００１８】
上巻きテープ１６のテープ幅Ｗは、ケーブル内に収容される光ファイバの心数（すなわち、スロットロッド１２の太さ）によって異なるが、例えば、２００心のケーブルで、テープ幅Ｗが３０ｍｍ程度のものが用いられ、その巻付けの重なり幅Ｌを５ｍｍ程度とする。この場合、上巻きテープ１６の巻付けピッチ（Ｗ−Ｌ）は、２５ｍｍと一義的に決まる。これに対し、粗巻き紐１５の巻付けピッチ（Ｐ）は、任意に選定することが可能である。
【００１９】
しかし、上巻きテープ１６の巻付けピッチ（Ｗ−Ｌ）と、粗巻き紐１５の巻付けピッチ（Ｐ）が異なると、テープの重なり部１６ａのいずれかの箇所で粗巻き紐１５が交差することになる。この結果、本発明の課題の項で述べたように、粗巻き紐にシースの熱で接着されない箇所が生じたり、若しくは、テープ重なり部分でテープ同士が接着されてテープ除去の作業性が低下する。
このため、本発明は、上巻きテープ１６の巻付けピッチ（Ｗ−Ｌ）と、粗巻き紐１５の巻付けピッチ（Ｐ）とが同じになるようにし、上巻きテープの重なり部１６ａの下には粗巻き紐１５が位置しないようにしたことを特徴としている。
【００２０】
上巻きテープ１６の重なり部１６ａの下に、粗巻き紐１５が位置しない（存在しない）ようにすることにより、粗巻き紐１５が上巻きテープ１６の下面に確実に接着され、また、テープの重なり部１６ａでテープ同士が接着するのを回避することができる。
この結果、上巻きテープ１６を、カッター等でカット、若しくは巻き解す際に、上巻きテープ１６と共に粗巻き紐１５も確実に除去することができる。また、上巻きテープがテープ間で接着されていないので、スムーズに巻き解すことができる。
【００２１】
光ファイバの心数が多くなると、そのスロットロッド１２の径も太くなり、使用する上巻きテープ１６が幅広になり、その巻付けピッチも大きくなる。このため、粗巻き紐１５が１本であると、光ファイバ心線の脱落防止には不十分となることがある。
この場合、粗巻き紐１５は、図２に示すように、１本だけでなく複数本（図では２本で示してある）を用いることができる。複数本の粗巻き紐１５は、その間隔を一定にして、図１の例と同様に上巻きテープ１６の巻付けピッチ（Ｗ−Ｌ）と同じピッチ（Ｐ）で、スロットロッド１２上に同時に巻付ける。
【００２２】
この結果、図１の場合と同様に、上巻きテープ１６の重なり部１６ａの下には、何れの粗巻き紐１５も位置しない（存在しない）ようにすることができる。この結果、粗巻き紐１５が上巻きテープの下面側に確実に接着され、また、テープ重なり部１６ａでテープ同士が接着するのを回避することができる。
【符号の説明】
【００２３】
１１…光ケーブル、１２…スロットロッド、１２ａ…溝、１３…テンションメンバ、１４…光フィアバ心線、１５…粗巻き紐、１６…上巻きテープ、１６ａ…重なり部、１７はシース。
【図１】
2013182094.tif 000003
【図２】
2013182094.tif 000004